(57)【要約】【課題】高品質な印刷をより適切に行う。【解決手段】媒体５０に対してインクジェット方式で印刷を行う印刷装置１０であって、インクジェットヘッド１０２と、エネルギー線照射部である紫外線光源１０４とを備え、紫外線光源１０４は、媒体５０に付着したインクへ紫外線を照射することにより、インクを発熱させて、インク中の溶媒の少なくとも一部を蒸発させ、インクジェットヘッド１０２が吐出するインクは、エネルギー線の照射により重合する物質である重合物質と、溶媒とを含み、媒体５０上のインクは、紫外線光源１０４により紫外線が照射されてから１００ｍｓが経過した時点において、時間の経過に応じて平坦化が進む状態である。【選択図】図１
2019130719.tif 000002
【特許請求の範囲】
【請求項１】
媒体に対してインクジェット方式で印刷を行う印刷装置であって、
前記媒体へインクを吐出するインクジェットヘッドと、
前記媒体に付着した前記インクへエネルギー線を照射するエネルギー線照射部と
を備え、
前記エネルギー線照射部は、前記媒体に付着した前記インクへエネルギー線を照射することにより、前記インクを発熱させて、前記インク中の前記溶媒の少なくとも一部を蒸発させ、
前記インクジェットヘッドが吐出する前記インクは、
エネルギー線の照射により重合する物質である重合物質と、
溶媒と
を含み、
前記媒体上のインクは、前記エネルギー線照射部によりエネルギー線が照射されてから１００ｍｓが経過した時点において、時間の経過に応じて平坦化が進む状態であることを特徴とする印刷装置。
【請求項２】
前記エネルギー線照射部は、前記媒体に付着した前記インクへエネルギー線を照射することにより、前記インク中の前記溶媒が沸騰する温度にまで前記インクを発熱させることを特徴とする請求項１に記載の印刷装置。
【請求項３】
前記エネルギー線照射部は、エネルギー線を照射して前記インク中の前記重合物質を重合させることにより、前記媒体上のインクの粘度を、２００ｍＰａ・ｓｅｃ以上にまで高め、
かつ、前記インクへのエネルギー線の照射を開始してから前記インクの粘度が２００ｍＰａ・ｓｅｃ以上になるまでの時間を高粘度化所要時間と定義した場合、前記高粘度化所要時間は、１００ｍｓ以上であることを特徴とする請求項１又は２に記載の印刷装置。
【請求項４】
前記インクは、エネルギー線を吸収することで発熱するエネルギー線吸収物質を更に含み、
前記エネルギー線照射部は、前記媒体に付着した前記インクへエネルギー線を照射して、前記エネルギー線吸収物質を発熱させることにより、前記インクを発熱させることを特徴とする請求項１から３のいずれかに記載の印刷装置。
【請求項５】
前記重合物質は、重合時に熱を発生する物質であり、
前記エネルギー線照射部は、前記媒体に付着した前記インクへエネルギー線を照射して、前記重合物質を重合させることにより、前記インクを発熱させることを特徴とする請求項１から４のいずれかに記載の印刷装置。
【請求項６】
前記重合物質は、紫外線の照射により重合する物質であり、
エネルギー線照射部は、エネルギー線として紫外線を照射することを特徴とする請求項１から５のいずれかに記載の印刷装置。
【請求項７】
前記重合物質は、カチオン重合性のモノマー又はオリゴマであることを特徴とする請求項１から６のいずれかに記載の印刷装置。
【請求項８】
前記インクは、前記溶媒を、３０重量％以上含むことを特徴とする請求項１から７のいずれかに記載の印刷装置。
【請求項９】
媒体に対してインクジェット方式で印刷を行う印刷方法であって、
前記媒体へインクを吐出するインクジェットヘッドと、
前記媒体に付着した前記インクへエネルギー線を照射するエネルギー線照射部と
を用い、
前記エネルギー線照射部により、前記媒体に付着した前記インクへエネルギー線を照射することにより、前記インクを発熱させて、前記インク中の前記溶媒の少なくとも一部を蒸発させ、
前記インクジェットヘッドが吐出する前記インクは、
エネルギー線の照射により重合する物質である重合物質と、
溶媒と
を含み、
前記媒体上のインクは、前記エネルギー線照射部によりエネルギー線が照射されてから１００ｍｓが経過した時点において、時間の経過に応じて平坦化が進む状態であることを特徴とする印刷方法。
【発明の詳細な説明】
【技術分野】
【０００１】
本発明は、印刷装置及び印刷方法に関する。
【背景技術】
【０００２】
従来、インクジェット方式で印刷を行う印刷装置（インクジェットプリンタ）が広く用いられている。また、近年、インクジェットプリンタで行う印刷の方法に関し、紫外線（ＵＶ光）等のエネルギー線を照射することで瞬間的に乾燥する瞬間乾燥型のインクを用いることが提案されている（例えば、特許文献１参照。）。この場合、媒体を蒸発させることで媒体（メディア）に定着する蒸発乾燥型のインクに対し、例えばＵＶＬＥＤ等を用いて紫外線を照射し、紫外線を熱エネルギーに変換することにより、インクを瞬間的に乾燥定着させることができる。
【先行技術文献】
【特許文献】
【０００３】
【特許文献１】国際公開第２０１７／１３５４２５号
【発明の概要】
【発明が解決しようとする課題】
【０００４】
瞬間乾燥型のインクを用いる場合、瞬間的にインクを乾燥させることにより、インクの滲み等を適切に防止することができる。また、これにより、従来の蒸発乾燥型のインク（例えば、従来のソルベントインク、水性インク、ラテックスインク、又はその他のエマルジョンタイプのインク等）では滲みの問題が大きかった媒体に対しても、高精細な印刷を行うことが可能になる。しかし、瞬間乾燥型のインクは、まだ新しい技術である。そのため、瞬間乾燥型のインクについては、より好ましいインクの構成や、より好ましいインクの乾燥のさせ方等を見出すことが望まれている。そこで、本発明は、上記の課題を解決できる印刷装置及び印刷方法を提供することを目的とする。
【課題を解決するための手段】
【０００５】
本願の発明者は、瞬間乾燥型のインクを用いる場合の様々な特徴について、鋭意研究を行った。そして、この鋭意研究において、瞬間乾燥型のインクを用いる場合には、インクが極めて短時間で乾燥することで新たな問題が生じる場合があることを見出した。より具体的に、例えば、瞬間乾燥型のインクを用いて印刷を行う場合、媒体への着弾の直後にエネルギー線（紫外線等）を照射することで、滲みの発生を抑えることができる。しかし、この場合、インクが瞬間的に加熱されることで、インクが十分に平坦化しない状態で乾燥し、インクの表面がマット状になる場合がある。また、この場合において、照射するエネルギー線の量が多いと、インクが突沸現象を起こす場合がある。そして、この場合、インクの表面が多孔質の被膜状になり、光沢性の高い印刷を行うことが難しくなる場合がある。また、インクの表面が粗面化することで、印刷の品質（画質）が低下すること等も考えられる。
【０００６】
また、インクの表面がマット化や多孔質化により粗面化することを防ぐためには、例えば光量の小さな紫外線等を照射して、インクをゆっくり乾燥させればよいようにも思われる。しかし、この場合、滲みが発生しやすくなり、瞬間乾燥型のインクを用いる効果が十分に得られなくなるおそれがある。また、例えば色材として顔料を含むインクを用いる場合等には、インクが乾燥するまでの間に顔料が偏るコーヒーステイン現象等が生じる場合もある。より具体的に、例えば、顔料を含むインクを用いて、接触角の小さなプラスチックフィルム等の非浸透性の媒体（例えば、光沢性の媒体等）に対して印刷を行う場合において、比較的光量の低い紫外線の照射条件によりゆっくりとインクを乾燥させると、乾燥の過程において、他の領域と比べて乾燥速度が速くなるインクのドットの周縁や印刷される画像（プリント画像）の周縁に色材である顔料の粒子が集まりやすくなり、コーヒーステイン現象等が生じやすくなる。また、その結果、画像の平均濃度の低下等により画質が低下する問題が生じることになる。また、コーヒーステイン現象を軽減するために紫外線の照射光量を大きくすると、上記のように、インクの表面が粗面化し、やはり画質が低下することになる。
【０００７】
これに対し、本願の発明者は、瞬間乾燥型のインクについて、単に瞬間的に乾燥させるのではなく、ゆっくりと重合してバインダ樹脂として機能する物質等を含むインクを用いることを考えた。また、このような構成のインクを用いることで、滲みの発生を抑えつつ、上記のような粗面化やコーヒーステイン現象の問題の発生を適切に防ぎえることを見出した。また、更なる鋭意研究により、このような効果を得るために必要な特徴を見出し、本発明に至った。
【０００８】
上記の課題を解決するために、本発明は、媒体に対してインクジェット方式で印刷を行う印刷装置であって、前記媒体へインクを吐出するインクジェットヘッドと、前記媒体に付着した前記インクへエネルギー線を照射するエネルギー線照射部とを備え、前記エネルギー線照射部は、前記媒体に付着した前記インクへエネルギー線を照射することにより、前記インクを発熱させて、前記インク中の前記溶媒の少なくとも一部を蒸発させ、前記インクジェットヘッドが吐出する前記インクは、エネルギー線の照射により重合する物質である重合物質と、溶媒とを含み、前記媒体上のインクは、前記エネルギー線照射部によりエネルギー線が照射されてから１００ｍｓが経過した時点において、時間の経過に応じて平坦化が進む状態であることを特徴とする。
【０００９】
このように構成した場合、例えば、エネルギー線の照射によりインク自体を発熱させることにより、効率的かつ適切にインクを加熱することができる。また、これにより、例えば、インク中の溶媒の少なくとも一部を蒸発させて、滲みが発生しない粘度にまでインクの粘度を適切に高めることができる。そのため、このように構成すれば、例えば、インクの滲みが発生することを適切に防ぐことができる。また、この場合、滲みが発生しない粘度にまでインクの粘度を高めることにより、例えば、色材として顔料等を用いる場合にも、コーヒーステイン現象等を適切に防ぐことができる。
【００１０】
また、この構成において、エネルギー線としては、例えば、紫外線を用いることが好ましい。この場合、重合物質については、紫外線の照射により重合する物質等と考えることができる。このように構成すれば、効率的かつ適切にインクを加熱することができる。また、この構成において、重合物質については、例えば、エネルギー線を照射してからある程度の時間をかけて高い粘度に達する物質等と考えることもできる。また、重合物質は、重合により、例えば、インクのバインダ樹脂として機能する。この場合、重合物質の重合が進むことでインクが高粘度化する前に、バインダ樹脂を適切かつ十分に平坦化することができる。そのため、例えばエネルギー線の照射により瞬間的に溶媒を蒸発させることの影響で一時的にインクの表面が粗面化したとしても、その後、インクの表面を適切に平坦化（平滑化）することができる。従って、このように構成すれば、例えば瞬間乾燥型のインクを用いる場合において、高品質な印刷をより適切に行うことができる。
【００１１】
また、この構成において、エネルギー線照射部は、媒体に付着したインクへエネルギー線を照射することにより、例えば、インク中の溶媒が沸騰する温度にまでインクを発熱させる。この場合、インク中の溶媒が沸騰するとは、例えば、インクが媒体に定着するまでの期間の少なくとも一部において、溶媒の温度が沸点に達することである。このように構成すれば、例えば、インクを高い温度により適切に加熱することができる。また、これにより、インク中の溶媒の少なくとも一部について、短時間でより適切に蒸発させることができる。更には、溶媒を短時間で蒸発させることにより、滲みの発生をより適切に防ぐことができる。また、この場合、例えばヒータ等で媒体を加熱することで間接的にインクを加熱するのではなく、エネルギー線の照射により直接的にインクを加熱することにより、例えば、周辺の構成や媒体への影響を抑えつつ、インクを効率的かつ適切に加熱することもできる。
【００１２】
また、エネルギー線照射部は、エネルギー線を照射してインク中の重合物質を重合させることにより、媒体上のインクの粘度について、最終的に、例えば、２００ｍＰａ・ｓ（２００ｍＰａ・ｓｅｃ）以上にまで高める。そして、この場合、エネルギー線を照射した後のインクの状態について、インクへのエネルギー線の照射を開始してからインクの粘度が２００ｍＰａ・ｓｅｃ以上になるまでの時間である高粘度化所要時間と関連付けて考えることもできる。この場合、インクへのエネルギー線の照射を開始してからの時間とは、例えば、媒体上の各位置においてその位置のインクへエネルギー線照射部がエネルギー線の照射を開始してからの時間のことである。そして、この場合、高粘度化所要時間について、例えば１００ｍｓ（１００ｍ秒）以上にすることが好ましい。
【００１３】
また、この構成において、インクとしては、例えば、蒸発乾燥型のインクを用いる。この場合、蒸発乾燥型のインクとは、例えば、媒体に定着させるためにインク中の溶媒を蒸発させるインクのことである。また、この場合、この構成において用いるインクは、例えば、溶媒を３０重量％以上含む。また、より具体的に、インク中の溶媒の割合は、例えば７０重量％以上にすること等が考えられる。また、この構成において、重合物質としては、例えば、カチオン重合性のモノマー又はオリゴマ等を好適に用いることができる。このように構成すれば、例えば、重合物質を適切に選択することができる。また、これにより、例えば、時間をかけて高い粘度に達するインクを実現できる。また、このようなインクについては、例えば、エネルギー線を照射するタイミングに対して遅延して硬化が完了するインクであるＵＶ遅延硬化インク等と考えることができる。
【００１４】
また、この構成において、インクは、例えば、エネルギー線を吸収することで発熱するエネルギー線吸収物質を更に含んでもよい。この場合、エネルギー線照射部は、例えば、媒体に付着したインクへエネルギー線を照射して、エネルギー線吸収物質を発熱させることにより、インクを発熱させる。このように構成すれば、例えば、効率的かつ適切にインクを発熱させることができる。また、この構成において、重合物質としては、例えば、重合時に熱を発生する物質を用いることが考えられる。この場合、重合物質が重合時に発生する熱を利用して、インク中の溶媒を蒸発させることも考えられる。より具体的に、この場合、エネルギー線照射部は、例えば、媒体に付着したインクへエネルギー線を照射して、重合物質を重合させることにより、インクを発熱させる。このように構成した場合も、インクを適切に発熱させることができる。
【００１５】
また、本発明の構成として、上記と同様の特徴を有する印刷方法等を用いることも考えられる。この場合も、例えば、上記と同様の効果を得ることができる。
【発明の効果】
【００１６】
本発明によれば、例えば、高品質な印刷をより適切に行うことができる。
【図面の簡単な説明】
【００１７】
【図１】本発明の一実施形態に係る印刷装置１０の一例を示す図である。図１（ａ）、（ｂ）は、印刷装置１０の要部の構成の一例を簡略化して示す上面図及び側断面図である。
【図２】従来のインクを用いて瞬間乾燥方式で印刷を行う場合における媒体５０へのインクの定着の仕方（定着モデル）について説明をする図である。図２（ａ）は、主走査動作時にインクジェットヘッド１０２からインクを吐出する状態の一例を示す。図２（ｂ）は、アフターヒータ２４での加熱時の状態の一例を示す。図２（ｃ）は、印刷が完了した時点での媒体５０の状態の一例を示す。
【図３】本例のインクを用いて瞬間乾燥方式で印刷を行う場合における媒体５０へのインクの定着の仕方について説明をする図である。図３（ａ）は、主走査動作時にインクジェットヘッド１０２からインクを吐出する状態の一例を示す。図３（ｂ）は、アフターヒータ２４での加熱時の状態の一例を示す。図３（ｃ）は、印刷が完了した時点での媒体５０の状態の一例を示す。
【発明を実施するための形態】
【００１８】
以下、本発明に係る実施形態を、図面を参照しながら説明する。図１は、本発明の一実施形態に係る印刷装置１０の一例を示す。図１（ａ）、（ｂ）は、印刷装置１０の要部の構成の一例を簡略化して示す上面図及び側断面図である。尚、以下において説明をする点を除き、印刷装置１０は、公知の印刷装置と同一又は同様の特徴を有してよい。例えば、印刷装置１０は、以下において説明をする構成に加え、公知の印刷装置と同一又は同様の様々な構成を更に備えてもよい。
【００１９】
本例において、印刷装置１０は、インクジェット方式で印刷を行うインクジェットプリンタであり、ヘッド部１２、プラテン１４、ガイドレール１６、走査駆動部１８、プリントヒータ２０、プレヒータ２２、アフターヒータ２４、及び制御部３０を備える。また、印刷装置１０は、ヘッド部１２に主走査動作を行わせるシリアル型のインクジェットプリンタである。この場合、主走査動作とは、例えば、予め設定された主走査方向（図中のＹ軸方向）へ移動しつつインク（インク滴）を吐出する動作のことである。また、ヘッド部１２に主走査動作を行わせるとは、ヘッド部１２におけるインクジェットヘッドに主走査動作を行わせることである。
【００２０】
ヘッド部１２は、印刷対象の媒体（メディア）５０に対してインクを吐出する部分であり、キャリッジ１００、複数のインクジェットヘッド１０２ｃ〜ｋ、及び紫外線光源１０４を有する。この場合、キャリッジ１００は、複数のインクジェットヘッド１０２ｃ〜ｋ及び紫外線光源１０４を保持する保持部材である。本例において、インクジェットヘッド１０２ｃ〜ｋは、主走査方向と直交する副走査方向（図中のＸ軸方向）における位置を揃えて、主走査方向へ並べて配設されている。また、インクジェットヘッド１０２ｃ〜ｋは、互いに異なる色のインクを吐出するインクジェットヘッドであり、フルカラーの表現に用いるプロセスカラーの各色のインク（カラーインク）を吐出する。より具体的に、インクジェットヘッド１０２ｃは、シアン色（Ｃ色）のインクを吐出する。インクジェットヘッド１０２ｍは、マゼンタ色（Ｍ色）のインクを吐出する。インクジェットヘッド１０２ｙは、イエロー色（Ｙ色）のインクを吐出する。また、インクジェットヘッド１０２ｋは、ブラック色（Ｋ色）のインクを吐出する。
【００２１】
また、本例において、インクジェットヘッド１０２ｃ〜ｋのそれぞれは、蒸発乾燥型のインクを吐出する。蒸発乾燥型のインクとは、例えば、媒体５０に定着させるためにインク中の溶媒を蒸発させるインクのことである。この場合、溶媒とは、例えば、インク中の他の成分を溶解又は分散させる液体のことである。また、蒸発乾燥型のインクについては、例えば、溶媒を３０重量％以上含むインク等と考えることもできる。蒸発乾燥型のインク中の溶媒の含有量は、７０重量％以上であることがより好ましい。また、本例においては、蒸発乾燥型のインクとして、エネルギー線を照射することで発熱するインク（瞬間乾燥型のインク）を用いる。エネルギー線を照射することでインクが発熱するとは、例えば、照射されたエネルギー線をインクが吸収することで、インク自体が発熱することである。また、より具体的に、本例において、エネルギー線としては、紫外線を用いる。
【００２２】
また、本例において用いるインクは、紫外線の照射により重合する物質である重合物質を更に含む。インク中の重合物質の含有量は、例えば１０重量％以上（例えば、１０〜５０重量％）、好ましくは２０重量％以上である。また、この重合物質として、紫外線を照射してからある程度の時間をかけて重合する物質を用いる。この場合、インクは、紫外線の照射を開始してから、時間をかけて高い粘度に達することになる。インクへの紫外線の照射を開始してからの時間とは、例えば、媒体上の各位置においてその位置のインクへ紫外線光源１０４が紫外線の照射を開始してからの時間のことである。また、媒体上の各位置においてその位置のインクへ紫外線光源１０４が紫外線の照射を開始するタイミングとは、例えば、主走査動作時に紫外線光源１０４が移動することでその位置へ紫外線を照射する状態になるタイミングのことである。また、この場合、本例において用いるインクについては、例えば、紫外線を照射するタイミングに対して遅延して硬化が完了するインクであるＵＶ遅延硬化インク等と考えることもできる。
【００２３】
また、重合物質としては、例えば、重合時に熱を発生する物質を用いることが考えられる。この場合、重合物質が重合時に発生する熱を利用して、インク中の溶媒を蒸発させることが考えられる。より具体的に、この場合、媒体５０に付着したインクへ紫外線光源１０４を用いて紫外線を照射して、重合物質を重合させることにより、インクを発熱させる。このように構成すれば、例えば、インクを適切に発熱させることができる。また、本例において用いるインクは、例えば、紫外線を吸収することで発熱する物質である紫外線吸収物質を更に含んでもよい。この場合、紫外線吸収物質は、エネルギー線吸収物質の一例である。また、紫外線吸収物質については、例えば、照射された紫外線のエネルギーを熱エネルギーに変換する物質等と考えることができる。この場合、媒体５０に付着したインクへ紫外線を照射して、紫外線吸収物質を発熱させることにより、インクを発熱させる。このように構成すれば、例えば、より効率的かつ適切にインクを発熱させることができる。また、このような紫外線吸収物質としては、公知の紫外線吸収剤等を好適に用いることができる。また、紫外線吸収物質は、インク中の他の添加物と兼用の物質であってもよい。例えば、インクのいずれかの成分（例えば、インクに含まれる色材、樹脂、又は溶媒等）として紫外線を十分に吸収する物質を用いる場合等には、専用の紫外線吸収物質を添加せずに、その成分に紫外線吸収剤の機能を兼用させることもできる。
【００２４】
また、上記以外の点において、インクは、公知のインクと同一又は同様の特徴を有してよい。例えば、上記において説明をした成分の他に、公知のインクと同一又は同様の物質等を更に含んでもよい。より具体的に、インクは、例えば、重合の開始剤等を含んでよい。この場合、重合の開始剤とは、例えば、紫外線の照射に応じて重合物質に重合を開始させる物質のことである。また、この場合、重合物質について、紫外線の照射により重合するとは、例えば、重合の開始剤を用いることで重合をすることであってよい。また、本例において用いるＣＭＹＫの各色のインクのように、無色透明のクリアインク以外の有色のインクを用いる場合、インクは、インクの色に応じた色材等を更に含んでよい。本例において用いるインクの特徴等については、後に更に詳しく説明をする。
【００２５】
また、本例のヘッド部１２において、紫外線光源１０４は、エネルギー線の一例である紫外線を照射するエネルギー線照射手段（エネルギー線照射部）であり、媒体５０に付着したインクへ紫外線を照射することにより、媒体５０上のインクを発熱させる。このように構成すれば、例えば、効率的かつ適切にインクを加熱して、インク中の溶媒の少なくとも一部を蒸発させることができる。また、この場合、紫外線光源１０４としては、例えば、ＵＶＬＥＤを用いた紫外線光源（ＵＶ−ＬＥＤ照射手段）を用いる。このように構成すれば、例えば、必要な波長範囲の紫外線を適切かつ効率的に照射することができる。また、より具体的に、本例において、紫外線光源１０４は、図中に示すように、インクジェットヘッド１０２ｃ〜ｋと副走査方向における位置を揃えて、主走査動作時にインクジェットヘッド１０２ｃ〜ｋの後方側になる位置に配設される。また、これにより、紫外線光源１０４は、主走査動作時において、媒体５０へインク着弾した直後において、インクの滲みが発生する前に、媒体５０上のインクへ紫外線を照射する。そして、インク自体を発熱させ、インク中の溶媒の少なくとも一部を蒸発させることで、インクの粘度について、滲みが発生しない粘度にまで高粘度化させる。この場合、滲みが発生しないとは、例えば、印刷に求められる品質等に応じて、問題となる滲みが実質的に発生しないことである。本例によれば、例えば、インクの滲みが発生することを適切に防ぐことができる。また、この場合、滲みが発生しない粘度にまでインクの粘度を高めることにより、例えば、色材として顔料等を用いる場合にも、コーヒーステイン現象等を適切に防ぐことができる。また、上記においても説明をしたように、本例において用いるインクは、重合物質を含んでいる。そして、この場合、紫外線光源１０４は、媒体５０上のインクへ紫外線を照射することにより、重合物質の重合を開始させる。重合物質を用いることに関連する特徴についえては、インクの特徴に関連付けて、後に更に詳しく説明をする。
【００２６】
プラテン１４は、媒体５０を支持する台状部材であり、ヘッド部１２と対向させて媒体５０を支持する。また、本例において、プラテン１４は、内部にプリントヒータ２０、プレヒータ２２、及びアフターヒータ２４を収容する。ガイドレール１６は、主走査動作時にヘッド部１２の移動をガイドするレール部材である。
【００２７】
走査駆動部１８は、媒体５０に対して相対的に移動する走査動作をヘッド部１２に行わせる駆動部である。この場合、ヘッド部１２に走査動作を行わせるとは、例えば、ヘッド部１２におけるインクジェットヘッド１０２ｃ〜ｋに走査動作を行わせることである。また、本例において、走査駆動部１８は、走査動作として、主走査動作及び副走査動作をヘッド部１２に行わせる。この場合、走査駆動部１８は、ヘッド部１２に主走査動作を行わせることにより、媒体５０の各位置に対し、ヘッド部１２のインクジェットヘッド１０２ｃ〜ｋにインクを吐出させる。また、主走査動作時にインクジェットヘッド１０２ｃ〜ｋと共に紫外線光源１０４を移動させることにより、媒体５０上のインクへ紫外線光源１０４に紫外線を照射させる。また、走査駆動部１８は、主走査動作の合間に副走査動作をヘッド部１２に行わせることで、媒体５０においてヘッド部１２と対向する位置を順次変更する。この場合、副走査動作とは、例えば、主走査方向と直交する副走査方向へ媒体５０に対して相対的に移動する動作のことである。また、より具体的に、本例において、走査駆動部１８は、図中にＸ軸方向として示した方向と平行な搬送方向へ媒体５０を搬送することにより、ヘッド部１２に副走査動作を行わせる。この場合、例えば図示を省略したローラ等を用いて、図中にＸ＋方向と示す搬送方向（メディア搬送方向）へ媒体５０を搬送する。
【００２８】
ここで、本例において、印刷装置１０は、図中にＹ＋方向（プリント方向）として示した一方の向きでの主走査動作（片方向）のみを行う片方向プリンタである。この場合、Ｙ＋方向は、図１（ａ）において左から右へ向かう方向である。また、図１に示した構成において、ヘッド部１２は、上記のように、ＣＭＹＫの各色のカラーインクを吐出する。この場合、各回の主走査動作において、媒体５０に着弾直後のインクへ紫外線を照射することで、滲みの発生を抑え、高精細な印刷を適切に行うことができる。また、ヘッド部１２の構成の変形例においては、例えば、クリアインク等を更に用いること等も考えられる。この場合、クリアインクとは、例えば、色材を含まないインクのことである。また、この場合、例えばオーバーコート層を形成する場合等に、着弾の直後ではなく、ある程度の時間を待ってインクを平坦化させてからインクを乾燥させることが好ましい場合もある。そして、この場合には、例えばＹ＋方向へヘッド部１２を移動させる往路の主走査動作時にインクを吐出し、ヘッド部１２を元の位置へ復帰させる復路でのヘッド部１２の移動時に紫外線を照射すること等も考えられる。この場合、片方向プリンタにおける復路の主走査動作とは、例えば、インクの吐出を行わせずに、ヘッド部１２を移動させる動作のことである。このように構成すれば、例えば、紫外線を照射するまでの時間を空けることで、インクを適切に平坦化することができる。
【００２９】
プリントヒータ２０、プレヒータ２２、及びアフターヒータ２４は、媒体５０を加熱する加熱手段である。また、これらのうち、プリントヒータ２０は、ヘッド部１２と対向する位置において媒体５０を加熱するヒータである。プリントヒータ２０を用いることにより、例えば、媒体５０上のインクをより効率的に加熱することが可能になる。また、この場合、本例の印刷装置１０の構成について、紫外線光源１０４とプリントヒータ２０とを併用してインクを乾燥させる構成と考えることができる。
【００３０】
ここで、プリントヒータ２０での加熱温度が高い場合、例えばヘッド部１２におけるインクジェットヘッドが加熱されることで、ノズル詰まり等の問題が生じやすくなる。この場合、ノズル詰まりとは、例えば、インクジェットヘッドのノズルがインクの乾燥により詰まることである。そのため、プリントヒータ２０による加熱温度については、７０℃以下にすることが好ましい。また、本例においては、上記においても説明をしたように、紫外線光源１０４を用いて、インクを効率的に加熱することが可能である。そのため、プリントヒータ２０による加熱温度については、環境温度の影響を抑え、媒体５０の温度を一定化すること等を目的に、十分に低い温度にすることがより好ましい。この場合も、プリントヒータ２０を用いることにより、インク中の溶媒の蒸発条件を適切に一定化することができる。また、より具体的に、プリントヒータ２０は、例えば、プリントヒータ２０と対向する領域に対し、室温により近い温度（例えば、５０℃以下程度）での加熱を行う。また、プリントヒータ２０による媒体５０の加熱温度については、好ましくは４０℃以下、更に好ましくは３５℃以下である。このように構成すれば、例えば、ノズル詰まり等の問題を抑えつつ、環境温度の影響等を適切に抑えることができる。
【００３１】
また、プレヒータ２２は、搬送方向においてヘッド部１２よりも上流側で媒体５０を加熱（予備加熱）するヒータである。プレヒータ２２を用いることにより、例えば、ヘッド部１２の位置へ到達する前に、媒体５０の初期温度を適切に調整することができる。また、この場合、プレヒータ２２による媒体５０の加熱温度についても、例えば、環境温度の影響を抑えること等を目的に、十分に低い温度（例えば５０℃以下、好ましくは４０℃以下、更に好ましくは３５℃以下）にすることが好ましい。アフターヒータ２４は、搬送方向においてヘッド部１２よりも下流側で媒体５０を加熱するヒータである。アフターヒータ２４を用いることにより、例えば、印刷を完了するまでの間に、インクをより確実に乾燥させることができる。アフターヒータ２４による媒体５０の加熱温度については、例えば３０〜５０℃程度にすることが考えられる。また、アフターヒータ２４については、例えば、プリントヒータ２０での加熱を行った時点では残留している溶媒成分を完全に除去するための後加熱用のヒータ（後乾燥手段）等と考えることができる。また、アフターヒータ２４の加熱温度については、使用する媒体５０の耐熱温度以下の範囲で、ある程度の高い温度に設定してもよい。
【００３２】
また、上記においても説明をしたように、本例においては、紫外線光源１０４を用いて、インク中の溶媒の少なくとも一部を蒸発させる。そして、この場合、インクの層に対する滲み止めや乾燥については、主に紫外線光源１０４での紫外線の照射により行うことができる。そのため、印刷装置１０を使用する環境や求められる印刷の品質によっては、プリントヒータ２０、プレヒータ２２、アフターヒータ２４のうちの一部又は全てを省略してもよい。また、プリントヒータ２０、プレヒータ２２、及びアフターヒータ２４としては、公知の様々な加熱手段を用いることが考えられる。より具体的に、プリントヒータ２０、プレヒータ２２、及びアフターヒータ２４としては、例えば、各種ヒータや温風機等（例えば、伝熱ヒータ、温風ヒータ、赤外線ヒータ等）を好適に用いることができる。また、アフターヒータ２４として、例えば、紫外線光源（ＵＶ後照射手段）を用いること等も考えられる。
【００３３】
制御部３０は、例えば印刷装置１０のＣＰＵであり、印刷装置１０の各部の動作を制御する。制御部３０は、例えば、各回の主走査動作時において、印刷すべき画像に応じて設定されるタイミングにインクジェットヘッド１０２ｃ〜ｋにインクを吐出させることにより、インクジェットヘッド１０２ｃ〜ｋに画像を描画させる。本例によれば、例えば、印刷装置１０により所望の画像を適切に印刷することができる。
【００３４】
続いて、本例において用いるインクの特徴等について、詳しく説明をする。上記においても説明をしたように、本例においては、ＵＶＬＥＤ等を用いた紫外線光源１０４から紫外線を照射することでインクを瞬間的に乾燥させる構成（ＵＶＬＥＤ瞬間乾燥方式）での印刷を行う。そして、この場合、例えばヒータ等で媒体を加熱することで間接的にインクを加熱する場合と異なり、紫外線の照射により直接的にインクを加熱することにより、例えば、周辺の構成や媒体５０への影響を抑えつつ、インクを効率的かつ適切に加熱することもできる。そのため、本例においては、例えば、ヒータのみを用いて加熱を行う場合と比べて、インクの温度をより高い温度にまで加熱することができる。
【００３５】
より具体的に、本例においては、媒体５０に付着したインクへ紫外線光源１０４により紫外線を照射することで、例えば、インク中の溶媒が沸騰する温度にまでインクを発熱させる。インク中の溶媒が沸騰するとは、例えば、インクが媒体５０に定着するまでの期間の少なくとも一部において、溶媒の温度が沸点に達することである。このように構成すれば、例えば、インクを高い温度に適切に加熱することができる。また、これにより、インク中の溶媒の少なくとも一部について、短時間で適切に蒸発させることができる。更には、溶媒を短時間で蒸発させることにより、滲みの発生を適切に防ぐことができる。しかし、この場合、強い紫外線を照射することにより、媒体５０上においてインクが突沸現象を起こす場合がある。そして、この場合、単に瞬間乾燥方式を用いるのみであると、インクの表面が粗面化して、光沢性の高い印刷を行うことが難しくなることも考えられる。
【００３６】
これに対し、本例においては、上記においても説明をしたように、紫外線の照射により重合する重合物質を含むインクを用いる。また、この重合物質として、紫外線を照射してからある程度の時間をかけて重合する物質を用いる。このように構成した場合、例えば、媒体５０上のインクへ紫外線を照射することにより、インクを発熱させることに加え、重合物質を重合させることができる。そして、この場合、重合物質は、例えば、重合により硬化して、インクのバインダ樹脂として機能する。また、この場合、時間をかけて重合する重合物質を用いることで、重合物質の重合によりインクが更に高粘度化する前に、バインダ樹脂を適切かつ十分に平坦化することができる。そして、この場合、例えば、紫外線の照射により瞬間的に溶媒を蒸発させることの影響で一時的にインクの表面がマット化又は多孔質化等により粗面化したとしても、その後、インクの表面を適切に平坦化（平滑化）することができる。この場合、インクの表面を平坦化するとは、例えば、インクのドットを平坦化することである。また、インクの表面を平坦化することについては、例えば、多数のインクのドットで形成されるインクの層を平坦化すること等と考えることもできる。本例によれば、例えば、瞬間乾燥型のインクを用いる場合において、高品質な印刷をより適切に行うことができる。
【００３７】
また、より具体的に、本例において、紫外線光源１０４は、例えば、紫外線を照射してインク中の重合物質を重合させることにより、媒体５０上のインクの粘度を、最終的に、２００ｍＰａ・ｓｅｃ以上にまで高める。重合物質の重合が完了した時点でのインクの粘度については、１００００ｍＰａ・ｓｅｃ以上にすることがより好ましい。また、この場合において、時間をかけて重合する重合物質を用いることで、インクの硬化が十分に進むまでの時間である高粘度化所要時間を１００ｍｓ以上にする。この場合、高粘度化所要時間については、例えば、媒体５０上のインクへの紫外線の照射を開始してからインクの粘度が２００ｍＰａ・ｓｅｃ以上になるまでの時間等と考えることができる。また、高粘度化所要時間については、例えば、紫外線の照射を開始してから硬化が十分に進むまでの遅延時間（遅延硬化樹脂のＵＶ照射後の遅延硬化時間）等と考えることもできる。
【００３８】
また、この場合、媒体５０上のインクについて、例えば、紫外線光源により紫外線を照射されてから１００ｍｓが経過した時点において、時間の経過に応じて平坦化が進む状態である構成等と考えることができる。時間の経過に応じて平坦化が進む状態とは、例えば、時間の経過によりインクの表面の状態が変化して、より平坦になる状態のことである。また、この場合、例えば、印刷される画像の品質について、時間の経過により光沢性がより高い状態に変化する状態等と考えることもできる。また、この場合、光沢性がより高い状態に変化するとは、例えば、人間の目で観察した印象において、実質的に、光沢性がより高い状態に変化することである。
【００３９】
続いて、本例において用いるインクの組成等について、更に詳しく説明をする。上記においても説明をしたように、本例において、インクとしては、例えば、重合物質、紫外線吸収剤、及び溶媒等を含むインクを用いることが考えられる。また、クリアインク以外の有色のインクを用いる場合、インクは、インクの色に応じた色材（顔料等）を更に含む。また、この場合、重合物質としては、例えば、紫外線を照射した直後に重合（硬化）が完了する物質ではなく、紫外線の照射を開始するタイミングから遅延して重合が完了してバインダ樹脂となるモノマー又はオリゴマ（ＵＶ遅延硬化型のバインダ樹脂）を用いる。また、この場合、カチオン重合性のモノマー又はオリゴマ等を好適に用いることができる。このように構成すれば、例えば、上記のような特徴を有する重合物質を適切に選択することができる。また、より具体的に、重合物質としては、例えば、エポキシ系、ビニルエーテル系、又はオキセタン系のカチオン重合用モノマーやオリゴマ等を用いることが考えられる。
【００４０】
また、この場合、ＵＶ遅延硬化型のバインダ樹脂となる重合物質の高粘度化所要時間については、例えば、インクが適切に平坦化する時間よりも長くすることが考えられる。インクが適切に平坦化する時間とは、例えば、紫外線の照射することでインク中の溶媒が蒸発した状況において、ＵＶ遅延硬化型のバインダ樹脂が適切かつ十分に平坦化するまでの時間のことである。また、この場合、高粘度化所要時間については、例えば、１００ｍＰａ・ｓｅｃ程度以下の低粘度の状態から、流動性や滲みが無くなる程度の２００ｍＰａ・ｓｅｃ以上の高粘度の状態になるまでの時間と考えることができる。そして、この場合、インクが適切に平坦化する時間よりも長くするためには、上記のように、高粘度化所要時間を１００ｍｓ以上にすることが好ましい。このように構成すれば、例えば、一時的にインクの表面がマット化又は多孔質化等で粗面化したとしても、その後において、インクを適切に平坦化することができる。また、これにより、例えば、画像のマット化等を防いで、光沢性の高い印刷等を適切に行うことができる。
【００４１】
ここで、画像のマット化等を防ぐ観点で考えた場合、高粘度化所要時間について、長ければ長いほど好ましいとも考えられる。しかし、実際の印刷装置１０の構成において、高粘度化所要時間が長くなりすぎると、他の弊害が生じる場合もある。より具体的には、例えば、高粘度化所要時間が１００ｓ（１００秒）を超える程度にまで長時間化した場合、媒体５０の搬送経路（走行系）や、印刷後の媒体５０を巻き取る構成等において、未硬化のインクによる汚染等が発生するおそれがある。そのため、高粘度化所要時間については、例えば、１００ｍｓ以上、１００ｓ以下にすることが好ましいと考えられる。また、高粘度化所要時間の下限について、より好ましくは、５００ｍｓ以上である。また、高粘度化所要時間の上限について、より好ましくは、１０ｓ以下である。また、インクの平坦化に要する時間や、高粘度化所要時間は、通常、インクや媒体５０の温度によっても変化すると考えられる。そのため、例えばアフターヒータ２４での加熱温度を変化させることで、これらの時間を調整すること等も考えられる。より具体的に、例えば、アフターヒータ２４において、インクや媒体５０の焦げや変形が発生しない範囲で、５０℃以上の温度で媒体５０を加熱することで、例えば、インクの平坦化を促進し、かつ、高粘度化所要時間を短くすること等が考えられる。
【００４２】
また、本例のインクは、１種類以上（単一又は複数種）の紫外線吸収剤を含む。この場合、紫外線吸収剤は、例えば、溶媒又はバインダ樹脂（ＵＶ遅延硬化型のバインダ樹脂）のいずれか又は双方に含まれることで、インク中に添加される。また、複数種類の紫外線吸収剤を用いる場合、主な機能が互いに異なる複数種類の紫外線吸収剤を用いることが考えられる。より具体的に、この場合、例えば、主にインクを発熱させるために用いる紫外線吸収剤（以下、吸収剤Ａという）と、主に重合物質を重合させるために用いる紫外線吸収剤（以下、重合開始剤Ｂという）とを用いることが考えられる。また、吸収剤Ａ及び重合開始剤Ｂについて、例えばインクの溶媒や他の組成物に含ませることで、インクに添加することが考えられる。
【００４３】
また、この場合、吸収剤Ａとしては、例えば、インクを瞬間的に乾燥させるために紫外線光源１０４から照射する紫外線を有効に吸収する物質（材料）を用いることが好ましい。また、このような物質としては、例えば、紫外線光源１０４での紫外線の発光波長域（ＵＶ発光波長域）に対して吸収波長が重畳している物質であり、かつ、吸収する紫外線のエネルギーの３０％以上（好ましくは５０％以上）が熱エネルギーに変換される物質等を好適に用いることができる。また、重合開始剤Ｂとしては、使用する重合物質に応じて、公知の重合開始剤等を好適に用いることができる。より具体的に、重合物質としては、例えば、エポキシ系、ビニルエーテル系、又はオキセタン系のカチオン重合用のモノマー等を用いることが考えられる。そして、この場合、重合開始剤Ｂとしては、これらの物質にカチオン重合を行わせるための公知の開始剤（又は増感剤）等を好適に用いることができる。また、このような重合開始剤Ｂとしては、例えば、イオン性カチオン重合開始剤であるジアゾニウム塩、フェロニセウム塩、スルホニューム塩、又はヨードニウム塩タイプの開始剤を用いることが考えられる。また、重合開始剤Ｂとして、例えば、非イオン性カチオン重合開始剤であるイミドスルホナート誘導体の光酸発生剤等を用いることも考えられる。また、上記のような吸収剤Ａ及び重合開始剤Ｂを用いる構成については、例えば、インク中の溶媒を蒸発させるための熱変換を吸収剤Ａにより主に行い、その一方で、カチオン重合ＵＶ硬化反応による重合物質の高分子樹脂化を重合開始剤Ｂで主に担当する構成と考えることができる。
【００４４】
また、インクの溶媒としては、例えば、水又は有機溶剤の一方又は双方を用いることが考えられる。また、この場合、例えば、重合物質に対して相溶性のあるモノマー等を溶媒の少なくとも一部として用いること等も考えられる。また、より具体的に、溶媒としては、例えば、２エチルヘキシルグリシジルエーテル、高級アルコール系ブチルグリシジルエーテル等のグリシジルエーテル系材料、メチルエチルケトン、エチレングリコールモノメチルエーテル、ジメチルホルムアルデヒド等のような、加熱により蒸発する溶剤等を用いることが考えられる。また、これらの溶剤については、溶媒の一部として用いることも考えられる。この場合、加熱により蒸発する溶剤について、インクの全体積に対し、１５体積％以上で８５体積％以下にすることが好ましい。
【００４５】
尚、このような溶剤を用いる場合、本例で用いるインクについて、溶剤で希釈した紫外線硬化型インク（ＵＶインク）であるソルベントＵＶインク（ＳＵＶインク）等と似た構成のインクと考えることもできる。しかし、本例の構成については、上記のように、紫外線を照射してからある程度の時間をかけて重合する重合物質を用い、かつ、瞬間乾燥方式によりインクを加熱する点で、従来のソルベントＵＶインクを用いる構成とは、大きく特徴が異なっている。また、この場合、本例で用いるインクについて、例えば、遅延硬化型のＳＵＶインク（遅延硬化ＳＵＶインク）等と考えることもできる。
【００４６】
また、インクの色材としては、例えば公知の顔料や染料等を好適に用いることができる。また、色材については、例えば、溶媒中に分散又は溶解させることが考えられる。また、色材については、溶媒以外の成分（例えば重合物質等）に溶解又は分散させてもよい。より具体的に、色材については、例えば、カチオン重合系のモノマーやオリゴマ、又は、グリシジルエーテル系材料中に分散又は溶解させること等が考えられる。
【００４７】
続いて、瞬間乾燥方式で印刷を行う構成に関し、上記のような重合物質を含むインクを用いる特徴に関連する事項について、更に詳しく説明をする。先ず、説明の便宜上、従来のインクを用いて瞬間乾燥方式で印刷を行う場合について、説明をする。
【００４８】
図２は、従来のインクを用いて瞬間乾燥方式で印刷を行う場合における媒体５０へのインクの定着の仕方（定着モデル）について説明をする図である。図２（ａ）は、主走査動作時にインクジェットヘッド１０２からインクを吐出する状態の一例を示す。図２（ｂ）は、アフターヒータ２４での加熱時の状態の一例を示す。図２（ｃ）は、印刷が完了した時点での媒体５０の状態の一例を示す。
【００４９】
この場合、主走査動作時には、例えば図２（ａ）に示すように、カラーインク用のインクジェットヘッド１０２から吐出したインクが媒体５０に着弾した直後（カラープリント直後）において、紫外線光源１０４から紫外線を照射することで、インクを発熱させる。また、これにより、例えば、プリントヒータ２０での加熱温度よりも高い温度にまでインクの温度を高めて、インクの溶媒を急速に蒸発させる。このように構成すれば、例えば、滲みが発生する前にインクの粘度を適切に高めることができる。しかし、この場合、上記においても説明をしたように、瞬間的に溶媒を蒸発させることの影響でインクの表面が粗面化する場合がある。また、従来のインクを用いて瞬間乾燥方式で印刷を行い場合、この時点において、インクの表面の状態が実質的に固定することになる。また、その結果、粗面化した状態でインクの表面が固化（粗面固化）することになる。また、この場合、例えば、コーヒーステイン現象等が発生する場合もある。
【００５０】
また、この場合、例えば図２（ｂ）に示すようにアフターヒータ２４で加熱を行い、インク中の溶媒成分を完全に蒸発させると、インクは、表面が粗面化した状態のまま、媒体５０に定着（完全硬化定着）することになる。また、その結果、印刷が完了した時点での媒体５０の状態は、例えば図２（ｃ）に示すように、表面が粗面化した状態のままになる。このように、従来のインクを用いて瞬間乾燥方式で印刷を行う場合、最終的な印刷結果においてインクの表面が粗面化しやすくなり、光沢性の高い印刷（光沢プリント）を行うことが難しくなる場合があった。
【００５１】
これに対し、本例においては、上記においても説明をしたように、ＵＶ遅延硬化型のバインダ樹脂として機能する重合物質を含むインク（遅延硬化ＳＵＶインク等）を用いて瞬間乾燥方式で印刷を行うことで、光沢性の高い印刷をより適切に行うことを可能にしている。図３は、本例のインクを用いて瞬間乾燥方式で印刷を行う場合における媒体５０へのインクの定着の仕方について説明をする図である。図３（ａ）は、主走査動作時にインクジェットヘッド１０２からインクを吐出する状態の一例を示す。図３（ｂ）は、アフターヒータ２４での加熱時の状態の一例を示す。図３（ｃ）は、印刷が完了した時点での媒体５０の状態の一例を示す。
【００５２】
この場合も、主走査動作時には、例えば図３（ａ）に示すように、インクが媒体５０に着弾した直後に紫外線光源１０４から紫外線を照射することで、インクを発熱させる。また、これにより、例えば、プリントヒータ２０での加熱温度よりも高い温度にまでインクの温度を高めて、インクの溶媒を急速に蒸発させる。また、より具体的に、この場合、例えば、０．１〜５Ｊ／ｃｍ２程度の強い紫外線を照射することが好ましい。このように構成すれば、例えば、瞬間乾燥方式でのインクの加熱をより適切に行うことができる。
【００５３】
また、本例のインクを用いる場合、紫外線を照射した直後には、重合物質の重合（ＵＶ遅延硬化型のバインダ樹脂の硬化）が進んでいない状態になっている。また、その結果、媒体５０上のインクは、粘度の低い状態（例えば、液体の状態）を保つことになる。すなわち、本例のインクを用いる場合、硬化が進んでインクの粘度が高くなるまでの時間が長くなる遅延硬化の特徴により、瞬間乾燥方式でインク中の溶媒の大部分を蒸発させた場合にも、硬化が進むまでの遅延時間内は、粘度の低い柔らかい状態をインクが維持することになる。また、その結果、溶媒が蒸発した後にも、インクの平坦化が進むことになる。
【００５４】
また、この場合、紫外線を照射した直後にインクの表面が粗面化したとしても、例えばインクに紫外線を照射した後、粘度が低い状態をインクが１００ｍｓ以上程度保てば、インクの表面を適切に平坦化することができる。また、より光沢性の高い印刷を行う場合には、インクの粘度が高くなるまでの時間をより長くすることが好ましい。より具体的に、媒体５０上のインクは、インクの表面張力や粘度等に応じて決まる速度で平坦化すると考えられる。そして、インクジェット方式において用いるインクについて、例えば粘度が２０ｍＰａ・ｓｅｃ程度である場合、通常、５００ｍｓ程度（０．５秒）程度放置をすると、より適切かつ十分に平坦化が進むと考えられる。そのため、例えば、上記において説明をした高粘度化所要時間について、５００ｍｓ以上にすることがより好ましい。また、高粘度化所要時間については、１ｓ（１秒）以上にすることがより好ましい。
【００５５】
また、この場合、例えば図３（ｂ）に示すように、アフターヒータ２４により加熱を行う時点において、インクは、平坦化していることになる。また、この時点においては、インクの硬化が十分に促進されていると考えられる。そのため、本例によれば、例えば、適切かつ十分にインクが平坦化した状態で、媒体５０にインクが定着することになる。また、その結果、印刷が完了した時点での媒体５０の状態は、例えば図３（ｃ）に示すように、表面が十分に平坦化して高い光沢性を有する状態になる。このように、本例によれば、例えば、瞬間乾燥方式で印刷を行う場合にも、インクの表面の粗面化を適切に防ぐことができる。また、これにより、例えば、高い光沢性が要求される用途においても、瞬間乾燥方式での印刷をより適切に行うことができる。また、この場合、瞬間乾燥方式で印刷を行うことで滲みを防ぐことにより、例えば、単位面積あたりに吐出するインクの量が多い場合にも、高速かつ適切に印刷を行うことができる。そのため、例えば印刷本紙、ラベル、又はパッケージへの印刷を行う用途のような、高光沢かつ高濃度での印刷を行うことが要求される用途においても、より適切に印刷を行うことが可能になる。
【００５６】
続いて、上記において説明をした各構成に関する補足説明や、変形例の説明等と行う。上記においても説明をしたように、本例のインク用の重合物質（ＵＶ遅延硬化型のバインダ樹脂、光反応硬化性樹脂）としては、カチオン重合性の重合物質（カチオン硬化樹脂）を好適に用いることができる。しかし、上記において説明をした目的に応じた遅延硬化が可能であれば、例えば、ラジカル重合タイプやアニオン重合タイプの樹脂となる重合物質を用いることも考えられる。また、この場合、例えば上記において吸収剤Ａや重合開始剤Ｂとして説明をした紫外線吸収剤や重合開始剤等について、使用する重合物質に合わせて選択した物質を用いることが好ましい。
【００５７】
また、インクの溶媒については、例えば、インクの乾燥速度や使用する重合物質等に応じて選択することが考えられる。より具体的に、上記においては、本例で用いるインクの具体例として、遅延硬化型のＳＵＶインク（遅延硬化ＳＵＶインク）等について、説明をした。この場合、溶媒としては、溶剤（有機溶剤）を用いることが考えられる。しかし、インクの溶媒としては、例えば、水等の水性溶媒を用いることも考えられる。また、この場合、重合物質としては、水溶性の物質を用いることが考えられる。このように構成すれば、例えば、より安全性の高いインクを提供することができる。また、インクの粘度等については、例えば、使用するインクジェットヘッドの構成（例えば、インクジェットヘッドの種類等）に応じて変化させてもよい。また、この場合、インクジェットヘッドがインクを吐出する原理については特に制限されず、公知の様々なインクジェットヘッドを用いることが考えられる。
【００５８】
また、媒体上のインクの粘度については、例えば、予め設定されたパターンでの印刷を行うことで測定される粘度等と考えることができる。また、この場合、紫外線を照射してからのインクの粘度については、実測により測定する場合に限らず、例えば、インクの成分等に基づいて計算により算出すること等も考えられる。また、インクの粘度に関連して、上記において説明をした高粘度化所要時間については、例えば、インクの粘度が２００ｍＰａ・ｓｅｃよりも小さいと見なせる時間等と考えることができる。この場合、インクの粘度が２００ｍＰａ・ｓｅｃよりも小さいと見なせる状態とは、例えば、１００ｍｓ程度の時間の経過により平坦化が進む状態のことである。また、高粘度化所要時間が１００ｍｓ以上になるとは、例えば、インクの粘度が２００ｍＰａ・ｓｅｃよりも小さいと見なせる時間が１００ｍｓ以上になることであってよい。
【００５９】
また、使用するインクの色についても、例えば図１に示した構成のようにＣＭＹＫの各色を用いる場合に限らず、様々に変更が可能である。より具体的には、例えば、基本色であるＣＭＹＫの各色に加え、ＲＧＢの各色のインクを用いることも考えられる。また、白色、パール色、蛍光色、又はメタリック色、クリア色等の特色のインクを用いることも考えられる。また、この場合、インクの色や色数について、１色以上であれば特定の色や色数に限定されない。また、インクとして、例えば、階調性を高めるために淡色のインク（ライトインク）を用いること等も考えられる。
【００６０】
また、ヘッド部１２（図１参照）の具体的な構成等についても、様々に変更が可能である。例えば、主走査方向に複数のインクジェットヘッドが並ぶ列数について、図１（ａ）に示すような１列の場合に限らず、複数（複数配列）に増やすこと等が考えられる。また、印刷の高速化や印刷範囲の広幅化のために、インクジェットヘッドを千鳥配置に配設すること等も考えられる。また、使用する媒体５０についても、インクジェット方式で印刷可能な限り、制限されない。より具体的に、媒体５０としては、例えば、プラスチックフィルム、布、木材、皮、セラミック、ガラス、金属、紙等の様々な媒体５０を使用することができる。
【００６１】
また、より具体的な印刷の仕方についても、様々な構成を用いることが考えられる。例えば、印刷のパス数（プリントパス走査数）については、特に限定されず、１パスで印刷を行う構成にしてもよく、複数パス（マルチパス）で印刷を行う構成にしてもよい。また、印刷装置１０の具体的な用途についても、特定の用途には制限されず、様々な広い用途を考えることができる。例えば、印刷装置１０について、サイングラフィクスプリンタやテキスタイルプリンタ等として用いることが考えられる。また、各種の産業用プリンタ、３Ｄプリンタ、又は各種溶液の塗布機等として用いること等も考えられる。また、上記においては、瞬間乾燥方式で照射するエネルギー線について、主に、紫外線を用いる場合について、説明をした。また、例えばインク着色を許容できるモノクロプリンタや数色の多色プリンタの構成等においては、エネルギー線として、赤外線等を用いること等も考えられる。
【産業上の利用可能性】
【００６２】
本発明は、例えば印刷装置に好適に利用できる。
【符号の説明】
【００６３】
１０・・・印刷装置、１２・・・ヘッド部、１４・・・プラテン、１６・・・ガイドレール、１８・・・走査駆動部、２０・・・プリントヒータ、２２・・・プレヒータ、２４・・・アフターヒータ、３０・・・制御部、５０・・・媒体、１００・・・キャリッジ、１０２・・・インクジェットヘッド、１０４・・・紫外線光源
【図１】
2019130719.tif 000003
【図２】
2019130719.tif 000004
【図３】
2019130719.tif 000005